(57)【特許請求の範囲】
【請求項１】
操作ノブのノブ本体に直方体状の隆起部として形成されたつまみ部の外面に嵌合固着される加飾部材の固定構造において、
前記加飾部材には、その一方端部に軸部を、その他方端部寄りには係止受部を形成した係止舌片を各々設け、
前記つまみ部の一方端部には、前記加飾部材の軸部を軸支可能とした軸受部を、その他方端部寄りには、前記加飾部材の係止舌片の挿入により、この係止舌片の係止受部を係止する係止部を備えた係止孔を各々設け、
加飾部材は、その軸部を前記つまみ部の軸受部に軸支させ、軸部を支点に旋回し、前記係止舌片を前記係止孔に挿入させて係止し固定する構成としたことを特徴とする操作ノブの加飾部材固定構造。  
【請求項２】
請求項１に記載した操作ノブの加飾部材固定構造において、
前記加飾部材の一端部よりには小板状のガイド部を、前記つまみ部には前記ガイド部に対応させたガイド孔を各々設け、
前記加飾部材の係止舌片が前記係止孔に入る前に、前記ガイド部が前記ガイド孔に入り込むことで、加飾部材の旋回方向をガイドする構成としたことを特徴とする操作ノブの加飾部材固定構造。
【請求項３】
請求項１又は２に記載の操作ノブの加飾部材固定構造において、
前記つまみ部には、長手方向に沿って凸条部を形成し、前記加飾部材には、操作部の前記凸条部を嵌合させる孔部であって、一端側の孔部を前記軸部によって連結した長孔を設けたことを特徴とする操作ノブの加飾部材固定構造。
【請求項４】
請求項３に記載した操作ノブの加飾部材固定構造において、
前記つまみ部の軸受部は、前記凸条部の一端部に形成したことを特徴とする操作ノブの加飾部材固定構造。
【発明の詳細な説明】
【技術分野】
【０００１】
この発明は，回転スイッチ装置の操作ノブに設けられる加飾部材の固定構造に関する。
【背景技術】
【０００２】
回転スイッチ装置の操作ノブには様々なものがあるが、一例として車両に搭載された空調用ユニットの操作コントロール装置について説明する。
この操作コントロール装置は、第１従来例として示した図１５のように、車両用のヒーターコントロールパネル１０に設けられたダイヤル操作ノブ１１、１２、１３、リアデフスイッチ１４、エアコンスイッチ１５、内外気切換ノブ１６などを備えた構成となっている。
なお、ダイヤル操作ノブ１１は風向調整用操作部、ダイヤル操作部１２は風量調整用操作部、ダイヤル操作部１３は温度調整用操作部となっている。
【０００３】
そして、図示する如く、ダイヤル操作ノブ１１、１２、１３は、ノブ本体１１ａ、１２ａ、１３ａに直方体状の隆起部として形成したつまみ部１１ｂ、１２ｂ、１３ｂを形成した同様の構成となっており、また、これらつまみ部１１ｂ、１２ｂ、１３ｂには意匠性を高める加飾部材１７が固着されている。
【０００４】
加飾部材１７は、ＡＢＳ等の合成樹脂材で形成され、銀色などの金属メッキが表面に施されている。
また、この加飾部材１７が接着剤や爪嵌合などによってつまみ部１１ｂ、１２ｂ、１３ｂの外面に固着されている。
【０００５】
図１６は、加飾部材１７を操作ノブ１１に固着する組付け過程を示す分解斜視図である。
この操作ノブ１１は、ノブ本体１１ａに設けたつまみ部１１ｂの外側面に加飾部材１７が固着される。
すなわち、ＡＢＳなどの合成樹脂材で形成したＵ字形の加飾部材１７には、その両端部に係止舌片１７ａ、１７ｂが設けてあり、また、操作ノブ１１のつまみ部１１ｂの側面には、加飾部材１７の係止舌片１７ａ、１７ｂを挿入可能とした孔部１８ａ、１８ｂと、これら孔部１８ａ、１８ｂの位置で内側に変形可能とした係合部１９ａ、１９ｂが設けられている。
【０００６】
そして、加飾部材１７の係止舌片１７ａ、１７ｂを孔部１８ａ、１８ｂに差し入れるようにして加飾部材１７をつまみ部１１ｂに組付けると、係合部１９ａ、１９ｂの先端に設けられた係止凸部２０ａ、２０ｂが係止舌片１７ａ、１７ｂの係止小孔２１ａ、２１ｂに突入する。
【０００７】
さらに、操作ノブ１１の筒部１１ｃに回転体２２を嵌入させることで、その受け部２３ａ、２３ｂが係合部１９ａ、１９ｂに当接し、係止舌片１７ａ、１７ｂの係止小孔２１ａ、２１ｂからの係合凸部２０ａ、２０ｂの脱出が防止され、加飾部材１７がつまみ部１７ｂに固着される。
操作ノブ１２、１３についても同様に形成した加飾部材が固着されている。
【先行技術文献】
【特許文献】
【０００８】
【特許文献１】特開２０１３−８９４４０号公報
【発明の概要】
【発明が解決しようとする課題】
【０００９】
上記した従来例の加飾部材１７は、２つの係止舌片１７ａ、１７ｂをつまみ部１１ｂ側部の２つの孔部１８ａ、１８ｂに位置合わせして挿入しなければならないため、これらの位置合わせに手間取り、その上、位置合わせを行っている間に、加飾部材１７やノブ本体１１ａを傷つけてしまうことがあった。
【００１０】
また、加飾部材１７は意匠性を優先することから、機械的に弱く作られるために、組付け時に作業者が握ることで変形したり、メッキが剥がれたりするおそれがあり、さらには、成形後に変形し、係止舌片１７ａ、１７ｂが孔部１８ａ、１８ｂに対し整合しなくなる等の問題があった。
【００１１】
そこで、上記した実情にかんがみ、本発明では、回転スイッチ装置に備える操作ノブにおいて、意匠性を確保しながらも組み付け時に変形し難く、かつ、操作ノブ本体を傷付けることなく簡単に組付けることができる加飾部材の固定構造を提案することを目的とする。
【課題を解決するための手段】
【００１２】
本発明は上記した目的を達成するため、第１の発明として、操作ノブのノブ本体に直方体状の隆起部として形成されたつまみ部の外面に嵌合固着される加飾部材の固定構造において、前記加飾部材には、その一方端部に軸部を、その他方端部寄りには係止受部を形成した係止舌片を各々設け、前記つまみ部の一方端部には、前記加飾部材の軸部を軸支可能とした軸受部を、その他方端部寄りには、前記加飾部材の係止舌片の挿入により、この係止舌片の係止受部を係止する係止部を備えた係止孔を各々設け、加飾部材は、その軸部を前記つまみ部の軸受部に軸支させ、軸部を支点に旋回し、前記係止舌片を前記係止孔に挿入させて係止し固定する構成としたことを特徴とする操作ノブの加飾部材固定構造を提案する。  
【００１３】
第２の発明としては、上記した第１の発明の操作ノブの加飾部材固定構造において、前記加飾部材の一端部よりには小板状のガイド部を、前記つまみ部には前記ガイド部に対応させたガイド孔を各々設け、前記加飾部材の係止舌片が前記係止孔に入る前に、前記ガイド部が前記ガイド孔に入り込むことで、加飾部材の旋回方向をガイドする構成としたことを特徴とする操作ノブの加飾部材固定構造を提案する。
【００１４】
第３の発明としては、上記した第１又は第２の発明の操作ノブの加飾部材固定構造において、前記つまみ部には、長手方向に沿って凸条部を形成し、前記加飾部材には、操作部の前記凸条部を嵌合させる孔部であって、一端側の孔部を前記軸部によって連結した長孔を設けたことを特徴とする操作ノブの加飾部材固定構造を提案する。
【００１５】
第４の発明としては、上記した第３の発明の操作ノブの加飾部材固定構造において、前記つまみ部の軸受部は、前記凸条部の一端部に形成したことを特徴とする操作ノブの加飾部材固定構造を提案する。
【発明の効果】
【００１６】
第１発明の加飾部材固定構造は、加飾部材の軸部をノブ本体のつまみ部の軸受部に軸支させ、その軸支部を支点にして加飾部材を旋回させることによって、その係止舌片をつまみ部の係止孔に挿入させる。
さらに、加飾部材をつまみ部外面に当接させるまで旋回させれば、係止舌片の係止受部が係止孔内の係止部によって係止され、加飾部材がつまみ部に固着される。
【００１７】
これより、軸部をつまみ部の軸受部に軸支させることで、加飾部材の組付け位置が位置決めされ、加飾部材を旋回させるだけで組付けできるので、加飾部材やノブ本体に傷などを付けることなく極めて簡単に固着することができる加飾部材の固定構造となる。
【００１８】
第２の発明の加飾部材固定構造は、加飾部材の旋回方向を案内するガイド機構として、加飾部材にはガイド部を、つまみ部にはガイド孔をそれぞれ設けたので、加飾部材の係止舌片が係止孔に対して正確に対向して挿入するようになる。
【００１９】
第３の発明の加飾部材固定構造は、加飾部材をつまみ部に密着させるために、加飾部材に形成した長孔をつまみ部の凸条部に嵌合させる構成としてあり、さらに、加飾部材の長孔の一端部側には前記した軸部を設けることで、加飾部材の強度を増大させてある。
【００２０】
第４の発明の加飾部材固定構造は、つまみ部に形成した凸条部の一端部に軸受部を設け、この軸受部によって加飾部材に軸部を支軸させることによって、加飾部材の意匠性を高めた構成となっている。
【図面の簡単な説明】
【００２１】
【図１】本発明の一実施形態として示した操作ノブの斜視図である。
【図２】上記した操作ノブの正面図である。
【図３】上記した操作ノブの加飾部材を示した斜視図である。
【図４】上記した操作ノブのノブ本体を示した斜視図である。
【図５】図４に示すノブ本体の背面図である。
【図６】図２上のＡ−Ａ線断面図である。
【図７】図２上のＢ−Ｂ線断面図である。
【図８】図２上のＣ−Ｃ線断面図である。
【図９】図７に一点鎖線で示した楕円部分Ｑの拡大部分断面図である。
【図１０】上記したノブ本体のつまみ部に設けた軸受部に加飾部材の軸部を軸支させる過程を示した操作ノブの斜視図である。
【図１１】上記したつまみ部の軸受部に加飾部材の軸部を軸支させた状態を示した操作ノブの斜視図である。
【図１２】軸部を支点にして加飾部材を旋回させ、加飾部材をつまみ部に組付ける過程を示した操作ノブの斜視図である。
【図１３】ノブ本体のつまみ部表面に正対する方向から加飾部材を押し当てて組付ける場合の加飾部材の組付け力を説明するための説明図である。
【図１４】本発明に係る加飾部材固定構造における加飾部材の組付け力を説明するための説明図である。
【図１５】従来例として示した車両用空調用ユニットの操作コントロール装置を示す正面図である。
【図１６】図１５に示す操作コントロール装置が備える操作ノブの従来例である操作ノブのノブ本体と加飾部材の分解斜視図である。
【発明を実施するための形態】
【００２２】
次に、本発明の一実施形態として車両用空調用ユニットの操作コントロール装置に備える操作ノブの加飾部材固定構造について図面に沿って説明する。
図１〜図４に示すように、操作ノブ３１はノブ本体３１ａに形成されたつまみ部３１ｂの外表面には加飾部材４０を嵌合固着させた構成としてある。
その他、これらの図において、３２は被駆動装置に連結するシャフト、３３はインジケータである透光部である。
【００２３】
上記したノブ本体３１ａはABS樹脂材で円盤状に形成し、これには、円盤の直形方向に延設した直方体状の隆起部からなるつまみ部（操作部）３１ｂが設けてある。
なお、シャフト３２、透光部３３はPC樹脂材で形成してある。
また、上記の操作ノブ３１では、つまみ部３１ｂの表面に凸条部３１ｃを形成すると共に、この凸条部３１ｃの一端部には、ほぼ半円断面の凹条形とした軸受部３１ｄが後向きになるように形成してある。
さらに、操作ノブ３１では、つまみ部３１ｂの一端部寄りとなる凸条部３１ｃの両側にガイド孔３１ｅが、その他端部寄りとなる凸条部３１ｃの両側には係止孔３１ｆがそれぞれ設けてある。
【００２４】
加飾部材４０は、ＡＢＳ樹脂材（アクリロニトリルブタジエンスチレン共重合体）を使用して、上記操作ノブ３１のつまみ部３１ｂの外面に嵌合可能に形成した細長状の枠板であり、これには意匠性を高めるためにメッキが施してある。
また、この加飾部材４０の上面には、上記したつまみ部３１ｂの凸条部３１ｃを嵌合させる長孔４０ａを形成すると共に、この長孔４０ａの一端部にはほぼ半円形断面の軸部４０ｂが設けてある。
【００２５】
さらに、上記の加飾部材４０には、その一端部寄りにガイド板（ガイド部）４０ｃが、その他端部寄りには係止舌片４０ｄがそれぞれ後向きに直立形成してある。
ガイド板４０ｃは、つまみ部３１ｂのガイド孔３１ｅに入り込んで加飾部材４０の旋回方向をガイドするものである。
係止舌片４０ｄは、つまみ部３１ｂの係止孔３１ｆに挿入し、図７及び図９に示すように、係止孔３１ｆ内の係合部３１ｇに設けた係止突部３１ｈをこの係止舌片４０ｄの係止小孔４０ｅに突入させ、取り付けた加飾部材４０を固着させるものである。
なお、係止孔３１ｆ内には、つまみ部３１ｂより突出させた突部３１iを設け、この突部３１iを係止舌片４０ｄに当接させ、係止舌片４０ｄのガタ付きをなくしている。（図９参照）
【００２６】
上記した加飾部材４０は図１０〜図１２に示すようにノブ本体３１ａに組付ける。
すなわち、先ず加飾部材４０は、図１０に示す如く、その軸部４０ｂをノブ本体３１ａのつまみ部３１ｂに設けた軸受部３１ｄに軸支させる。（図６参照）
【００２７】
続いて、図１１に示す矢印４１の如く、加飾部材４０を軸部４０ｂの軸支部を支点にして旋回させる。
この旋回の初期段階でガイド板４０ｃがつまみ部３１ｂのガイド孔３１ｅに入り込むから、加飾部材４０の正確な旋回方向が定まる。（図８参照）
【００２８】
加飾部材４０の旋回を進めると、図１２に示す如く、係止舌片４０ｄがつまみ部３１ｂの係止孔３１ｆに挿入される。
したがって、図７及び図９より分かる通り、係止孔３１ｆ内の係合部３１ｇに設けた係止突部３１ｈが係止舌片４０ｄの係止小孔４０ｅに突入することから、係止舌片４０ｄが抜け止めされる。
【００２９】
このように、つまみ部３１ｂの凸条部３１ｃが加飾部材４０の長孔４０ａに正確に嵌合し、加飾部材４０がつまみ部３１ｂの外面に当接した状態で、軸部４０ｂの支軸と、係止舌片４０ｄの抜け止めとによって加飾部材４０がつまみ部３１ｂの外面に固着される。
【００３０】
他方、上記のように軸部４０ｂを支点に旋回して取り付ける加飾部材４０は取り付け力を軽減することができると言う利点があるので、この点について図１３及び図１４を参照して説明する。
【００３１】
図１３は従来例同様に、ノブ本体５１ａに設けたつまみ部５１ｂの表面に正対する方向から加飾部材６０を押し当てて組付ける操作ノブ５１を示す。
この説明例では、加飾部材６０の取り付け力（押し込み力）をＰ＝１とすれば、２つのガイド板６０ａ、６０ａを２つのガイド孔５１ｃ、５１ｃに挿入するために加わる圧入力Ｐ１、Ｐ２は（１／４）+（１／４）、２つの係止舌片６０ｂ、６０ｂを２つの係止孔５１ｄ、５１ｄに挿入するために加わる圧入力Ｐ３、Ｐ４も同様に（１／４）+（１／４）となる。
すなわち、Ｐ１＋Ｐ２＋Ｐ３＋Ｐ４＝Ｐ＝１となる関係にある。
【００３２】
これに対し、上記実施形態の操作ノブ３１は、図１４に示すように、ガイド板４０ｃ、４０ｃに加わる圧入力Ｑ１、Ｑ２は、（１／４）×（Ｘ／Ｙ）＋（１／４）×（Ｘ／Ｙ）となる。
したがって、Ｑ１＋Ｑ２＝Ｘ／２Ｙとなる。
また、２つの係止舌片４０ｄ、４０ｄに加わる圧入力Ｑ３、Q４は、（１／４）+（１／４）＝１／２となるから、取り付け力Ｑ＝（１／２）＋（Ｘ／２Ｙ）＝（Ｘ＋Ｙ）／２Ｙとなる。
したがって、取り付け力Ｑが梃子の原理によってＰ＝１に比べて減少する。
【産業上の利用可能性】
【００３３】
車両に搭載された空調用ユニットの操作コントロール装置などの回転スイッチ装置の操作ノブに実施することができる。
【符号の説明】
【００３４】
３１  操作ノブ
３１ａ  ノブ本体
３１ｂ  つまみ部
３１ｃ  凸条部
３１ｄ  軸部
３１ｅ  ガイド孔
３１ｆ  係止孔
３１ｇ  係合部
３１ｈ  係止突部
４０  加飾部材
４０ａ  長孔
４０ｂ  軸部
４０ｃ  ガイド板
４０ｄ  係止舌片
４０ｅ  係止小孔
【図１】
0006536892.tif 000002
【図２】
0006536892.tif 000003
【図３】
0006536892.tif 000004
【図４】
0006536892.tif 000005
【図５】
0006536892.tif 000006
【図６】
0006536892.tif 000007
【図７】
0006536892.tif 000008
【図８】
0006536892.tif 000009
【図９】
0006536892.tif 000010
【図１０】
0006536892.tif 000011
【図１１】
0006536892.tif 000012
【図１２】
0006536892.tif 000013
【図１３】
0006536892.tif 000014
【図１４】
0006536892.tif 000015
【図１５】
0006536892.tif 000016
【図１６】
0006536892.tif 000017